(57)【特許請求の範囲】
【請求項１】
適宜記録担体が収納される略箱状の収納部と、この収納部に折目線を介して揺動自在に連設される適数の扉部とを備えた販売用ケースを形成し、収納部の正面板に窓孔を設けると共に、扉部を揺動させて販売用ケースを折畳み状態としたときに、窓孔部分を扉部で覆えるように形成し、扉部を揺動させて展開状態とした販売用ケース全体を、透光性を有する包装体で被覆し、包装体による被覆状態のまま扉部を揺動できるよう構成し、販売用ケースの収納部内に収納可能となる展示用ケースを形成し、この展示用ケースは、透光性を有する適宜合成樹脂製シート材によって形成され、販売用ケースの窓孔部分を裏面がわから覆うような正面板を有し、この正面板の裏面がわに複数の記録担体を保持できるよう構成したことを特徴とする記録担体用収納ケース。
【請求項２】
適宜記録担体が収納される略箱状の収納部と、この収納部の左右側部に折目線を介して夫々揺動自在に連設される左右扉部とを備えた販売用ケースを形成し、収納部の正面板に窓孔を設けると共に、左右扉部を揺動させて販売用ケースを折畳み状態としたときに、窓孔部分を左右扉部で覆えるように形成し、左右扉部を揺動させて展開状態とした販売用ケース全体を、透光性を有する包装体で被覆し、包装体による被覆状態のまま左右扉部を揺動できるよう構成し、販売用ケースの収納部内に収納可能となる展示用ケースを形成し、この展示用ケースは、透光性を有する適宜合成樹脂製シート材によって形成され、販売用ケースの窓孔部分を裏面がわから覆うような正面板を有し、この正面板の裏面がわに複数の記録担体を保持できるよう構成したことを特徴とする記録担体用収納ケース。
【請求項３】
適宜記録担体が収納される略箱状の収納部と、この収納部の左右側部に折目線を介して夫々揺動自在に連設される左右扉部とを備えた販売用ケースを形成し、収納部の正面板に窓孔を設けると共に、左右扉部を揺動させて販売用ケースを折畳み状態としたときに、窓孔部分を左右扉部で覆えるように形成し、左右扉部を揺動させて展開状態とした販売用ケース全体を、透光性を有する包装体で被覆し、包装体による被覆状態のまま左右扉部を揺動できるよう構成し、販売用ケースを、窓孔を設けた正面板と、左前扉板と、左後扉板と、左側板と、背面板と、右側板と、右後扉板と、右前扉板と、上面板と、下面板とを備えた適宜シート状材料によって構成し、この適宜シート状材料の表面がわに適宜印刷を施し、左前扉板と左後扉板、及び右後扉板と右前扉板の裏面がわを夫々接着して、左右扉部を構成したことを特徴とする記録担体用収納ケース。
【請求項４】
適宜記録担体が収納される略箱状の収納部と、この収納部の左右側部に折目線を介して夫々揺動自在に連設される左右扉部とを備えた販売用ケースを形成し、収納部の正面板に窓孔を設けると共に、左右扉部を揺動させて販売用ケースを折畳み状態としたときに、窓孔部分を左右扉部で覆えるように形成し、左右扉部を揺動させて展開状態とした販売用ケース全体を、透光性を有する包装体で被覆し、包装体による被覆状態のまま左右扉部を揺動できるよう構成し、販売用ケースを、窓孔を設けた正面板と、左前扉板と、左後扉板と、左側板と、背面板と、右側板と、右後扉板と、右前扉板と、上面板と、下面板とを備えた適宜シート状材料によって構成し、この適宜シート状材料の表面がわに適宜印刷を施し、左前扉板と左後扉板、及び右後扉板と右前扉板の裏面がわを夫々接着して、左右扉部を構成し、販売用ケースの収納部内に収納可能となる展示用ケースを形成し、この展示用ケースは、透光性を有する適宜合成樹脂製シート材によって形成され、販売用ケースの窓孔部分を裏面がわから覆うような正面板を有し、この正面板の裏面がわに複数の記録担体を保持できるよう構成したことを特徴とする記録担体用収納ケース。
【請求項５】
適宜記録担体が収納される略箱状の収納部と、この収納部に折目線を介して揺動自在に連設される適数の扉部とを備えた販売用ケースを形成し、収納部の正面板に窓孔を設けると共に、扉部を揺動させて販売用ケースを折畳み状態としたときに、窓孔部分を扉部で覆えるように形成し、扉部を揺動させて展開状態とした販売用ケース全体を、透光性を有する包装体で被覆し、包装体による被覆状態のまま扉部を揺動できるよう構成し、販売用ケースの収納部内に収納可能となる展示用ケースを形成し、この展示用ケースは、透光性を有する適宜合成樹脂製シート材によって形成され、販売用ケースの窓孔部分を裏面がわから覆うような正面板と、正面板の左右側縁に折曲線を介して連設される右後保持板及び左後保持板と、左右後保持板の先端縁に折曲線を介して連設される右前保持板及び左前保持板とを備え、右後保持板及び左後保持板には、複数の略上向き半円弧状の係止切欠下溝を設け、右前保持板及び左前保持板には、複数の略ノ字状の係止切欠上溝を設け、記録担体、或いは、保護袋入り記録担体の下端部を係止切欠下溝に係止できるよう形成すると共に、上端部を係止切欠上溝に係止できるよう形成して、複数の記録担体、或いは、保護袋入り記録担体を正面板の裏面がわに保持できるよう構成したことを特徴とする記録担体用収納ケース。
【請求項６】
販売用ケースの収納部内に収納可能となる保管用ケースを形成し、この保管用ケースは、折畳み自在に形成されると共に、複数の記録担体保持部が設けられ、この記録担体保持部で展示用ケース内の複数の記録担体を夫々保持できるよう構成したことを特徴とする請求項１または請求項２または請求項４または請求項５記載の記録担体用収納ケース。
【発明の詳細な説明】
【０００１】
【発明の属する技術分野】
本発明は、主に、コンピューターで使用されるソフトとしての適宜記録担体（例えば、ＣＤ−ＲＯＭ、ＦＤ、その他）を複数収納できると共に、収納された記録担体に関連するより多くの情報（例えば、ソフトの内容説明、使用説明、イラスト、その他）及び記録担体自体が包装された状態のまま視認できるようにした記録担体用収納ケースに関する。
【０００２】
【従来の技術】
従来、この種の記録担体用収納ケースとしては、例えば、適宜箱が利用され、この箱内に複数の記録担体や説明書やその他が収納され、箱の表面部分に収納された記録担体に関連する情報（例えば、ソフトの内容説明、使用説明、イラスト、その他）があらわされている。しかも、この箱は全体を透明な包装袋で包装したものが多く利用されている。
【０００３】
【発明が解決しようとする課題】
ところが、前述の如き収納ケースにあっては、透明な包装袋を介して箱の外表面しか視認することができなかった。すなわち、記録担体を選択購入する際、その記録担体に関連する情報（例えば、ソフトの内容説明、使用説明、イラスト、その他）等からある程度その内容等を判断するが、箱の外表面に表現された関連情報だけでは、十分な情報が得られない難点等があった。
【０００４】
【課題を解決するための手段】
そこで、本発明は、前述の如き難点等を解消し、収納されている記録担体に関連する情報（例えば、ソフトの内容説明、使用説明、イラスト、その他）等をより多く表現できるようにすると共に、記録担体自体を視認できるようにし、また、これらを容易に視認できて、購買者の選択購入に役立つようにし、しかも、記録担体等が汚されたり、損傷したりすることのない記録担体用収納ケースを構成簡素に提供すべく創出されたもので、請求項１記載の記録担体用収納ケースＳは、適宜記録担体Ｅが収納される略箱状の収納部Ａ１と、この収納部Ａ１に折目線１５を介して揺動自在に連設される適数の扉部Ａ２とを備えた販売用ケースＡを形成し、収納部Ａ１の正面板１に窓孔Ａ３を設けると共に、扉部Ａ２を揺動させて販売用ケースＡを折畳み状態としたときに、窓孔Ａ３部分を扉部Ａ２で覆えるように形成し、扉部Ａ２を揺動させて展開状態とした販売用ケースＡ全体を、透光性を有する包装体Ｄで被覆し、包装体Ｄによる被覆状態のまま扉部Ａ２を揺動できるよう構成し、販売用ケースＡの収納部Ａ１内に収納可能となる展示用ケースＢを形成し、この展示用ケースＢは、透光性を有する適宜合成樹脂製シート材によって形成され、販売用ケースＡの窓孔Ａ３部分を裏面がわから覆うような正面板２０を有し、この正面板２０の裏面がわに複数の記録担体Ｅを保持できるよう構成する手段を採用した。
【０００５】
また、請求項２記載の記録担体用収納ケースＳは、適宜記録担体Ｅが収納される略箱状の収納部Ａ１と、この収納部Ａ１の左右側部に折目線１５を介して夫々揺動自在に連設される左右扉部Ａ２とを備えた販売用ケースＡを形成し、収納部Ａ１の正面板１に窓孔Ａ３を設けると共に、左右扉部Ａ２を揺動させて販売用ケースＡを折畳み状態としたときに、窓孔Ａ３部分を左右扉部Ａ２で覆えるように形成し、左右扉部Ａ２を揺動させて展開状態とした販売用ケースＡ全体を、透光性を有する包装体Ｄで被覆し、包装体Ｄによる被覆状態のまま左右扉部Ａ２を揺動できるよう構成し、販売用ケースＡの収納部Ａ１内に収納可能となる展示用ケースＢを形成し、この展示用ケースＢは、透光性を有する適宜合成樹脂製シート材によって形成され、販売用ケースＡの窓孔Ａ３部分を裏面がわから覆うような正面板２０を有し、この正面板２０の裏面がわに複数の記録担体Ｅを保持できるよう構成する手段を採用した。
【０００６】
更に、請求項３記載の記録担体用収納ケースＳは、適宜記録担体Ｅが収納される略箱状の収納部Ａ１と、この収納部Ａ１の左右側部に折目線１５を介して夫々揺動自在に連設される左右扉部Ａ２とを備えた販売用ケースＡを形成し、収納部Ａ１の正面板１に窓孔Ａ３を設けると共に、左右扉部Ａ２を揺動させて販売用ケースＡを折畳み状態としたときに、窓孔Ａ３部分を左右扉部Ａ２で覆えるように形成し、左右扉部Ａ２を揺動させて展開状態とした販売用ケースＡ全体を、透光性を有する包装体Ｄで被覆し、包装体Ｄによる被覆状態のまま左右扉部Ａ２を揺動できるよう構成し、販売用ケースＡを、窓孔Ａ３を設けた正面板１と、左前扉板２と、左後扉板３と、左側板４と、背面板５と、右側板６と、右後扉板７と、右前扉板８と、上面板９と、下面板１０とを備えた適宜シート状材料によって構成し、この適宜シート状材料の表面がわに適宜印刷を施し、左前扉板２と左後扉板３、及び右後扉板７と右前扉板８の裏面がわを夫々接着して、左右扉部Ａ２を構成する手段を採用した。
【０００７】
そして、請求項４記載の記録担体用収納ケースＳは、適宜記録担体Ｅが収納される略箱状の収納部Ａ１と、この収納部Ａ１の左右側部に折目線１５を介して夫々揺動自在に連設される左右扉部Ａ２とを備えた販売用ケースＡを形成し、収納部Ａ１の正面板１に窓孔Ａ３を設けると共に、左右扉部Ａ２を揺動させて販売用ケースＡを折畳み状態としたときに、窓孔Ａ３部分を左右扉部Ａ２で覆えるように形成し、左右扉部Ａ２を揺動させて展開状態とした販売用ケースＡ全体を、透光性を有する包装体Ｄで被覆し、包装体Ｄによる被覆状態のまま左右扉部Ａ２を揺動できるよう構成し、販売用ケースＡを、窓孔Ａ３を設けた正面板１と、左前扉板２と、左後扉板３と、左側板４と、背面板５と、右側板６と、右後扉板７と、右前扉板８と、上面板９と、下面板１０とを備えた適宜シート状材料によって構成し、この適宜シート状材料の表面がわに適宜印刷を施し、左前扉板２と左後扉板３、及び右後扉板７と右前扉板８の裏面がわを夫々接着して、左右扉部Ａ２を構成し、販売用ケースＡの収納部Ａ１内に収納可能となる展示用ケースＢを形成し、この展示用ケースＢは、透光性を有する適宜合成樹脂製シート材によって形成され、販売用ケースＡの窓孔Ａ３部分を裏面がわから覆うような正面板２０を有し、この正面板２０の裏面がわに複数の記録担体Ｅを保持できるよう構成する手段を採用した。
【０００８】
それから、請求項５記載の記録担体用収納ケースＳは、適宜記録担体Ｅが収納される略箱状の収納部Ａ１と、この収納部Ａ１に折目線１５を介して揺動自在に連設される適数の扉部Ａ２とを備えた販売用ケースＡを形成し、収納部Ａ１の正面板１に窓孔Ａ３を設けると共に、扉部Ａ２を揺動させて販売用ケースＡを折畳み状態としたときに、窓孔Ａ３部分を扉部Ａ２で覆えるように形成し、扉部Ａ２を揺動させて展開状態とした販売用ケースＡ全体を、透光性を有する包装体Ｄで被覆し、包装体Ｄによる被覆状態のまま扉部Ａ２を揺動できるよう構成し、販売用ケースＡの収納部Ａ１内に収納可能となる展示用ケースＢを形成し、この展示用ケースＢは、透光性を有する適宜合成樹脂製シート材によって形成され、販売用ケースＡの窓孔Ａ３部分を裏面がわから覆うような正面板２０と、正面板２０の左右側縁に折曲線２８を介して連設される右後保持板２１及び左後保持板２２と、左右後保持板２１，２２の先端縁に折曲線２８を介して連設される右前保持板２３及び左前保持板２４とを備え、右後保持板２１及び左後保持板２２には、複数の略上向き半円弧状の係止切欠下溝２９を設け、右前保持板２３及び左前保持板２４には、複数の略ノ字状の係止切欠上溝３０を設け、記録担体Ｅ、或いは、保護袋６０入り記録担体Ｅの下端部を係止切欠下溝２９に係止できるよう形成すると共に、上端部を係止切欠上溝３０に係止できるよう形成して、複数の記録担体Ｅ、或いは、保護袋６０入り記録担体Ｅを正面板２０の裏面がわに保持できるよう構成する手段を採用した。
【０００９】
加えて、請求項６記載の記録担体用収納ケースＳは、販売用ケースＡの収納部Ａ１内に収納可能となる保管用ケースＣを形成し、この保管用ケースＣは、折畳み自在に形成されると共に、複数の記録担体保持部４６が設けられ、この記録担体保持部４６で展示用ケースＢ内の複数の記録担体Ｅを夫々保持できるよう構成する手段を採用した。
【００１０】
【発明の実施の形態】
以下、本発明を図示例に基づいて説明する。
本発明は、主に、コンピューターで使用されるソフトとしての適宜記録担体Ｅ（例えば、ＣＤ−ＲＯＭ、ＦＤ、その他）を複数収納できると共に、収納された記録担体Ｅに関連するより多くの情報（例えば、ソフトの内容説明、使用説明、イラスト、その他）及び記録担体Ｅ自体が包装体Ｄで包装された状態のまま視認できるようにした記録担体用収納ケースＳである。
すなわち、この記録担体用収納ケースＳは、適宜記録担体Ｅが複数収納される略矩形箱状の収納部Ａ１と、この収納部Ａ１に折目線１５を介して揺動自在に連設される適数（一枚、或いは、二枚、或いは、三枚以上）の扉部Ａ２とを備えた販売用ケースＡを形成する。そして、収納部Ａ１の正面板１に窓孔Ａ３を設け、扉部Ａ２を揺動させて販売用ケースＡを折畳み状態としたときに、窓孔Ａ３部分を扉部Ａ２で覆えるように形成する。それから、扉部Ａ２を揺動させて展開状態とした販売用ケースＡ全体を、透光性を有する包装体Ｄで被覆し、包装体Ｄによる被覆状態のまま扉部Ａ２を揺動できるよう構成したものである。
このとき、収納部Ａ１の外表面や、扉部Ａ２の外表面（表裏面）には、記録担体Ｅに関連する情報等が表示されている。
ところで、図示例では、扉部Ａ２を、収納部Ａ１の左右に設けた左右扉部Ａ２によって構成してあり、左右扉部Ａ２が略観音開き状に揺動するようになる。尚、左右扉部Ａ２は、図示例のようにその一部（或いは、全部）が重なっても良いし、重ならないように構成しても良い。
【００１１】
更に、収納部Ａ１に収納される複数の記録担体Ｅは、販売用ケースＡの収納部Ａ１内に収納可能となる展示用ケースＢで保持できるよう形成され、この展示用ケースＢは、透光性を有する適宜合成樹脂製シート材によって形成され、しかも、販売用ケースＡの窓孔Ａ３部分を裏面がわから覆うような正面板２０を有し、この正面板２０の裏面がわに複数の記録担体Ｅを整然と保持できるよう構成してある。
【００１２】
また、販売用ケースＡの収納部Ａ１内には、保管用ケースＣも収納することができるよう形成され、この保管用ケースＣは、折畳み自在に形成されると共に、複数の記録担体保持部４６が設けられ、この記録担体保持部４６で展示用ケースＢ内の複数の記録担体Ｅを夫々保持できるよう構成されている。
【００１３】
販売用ケースＡは、主に一枚のシート状の適宜紙材（或いは、適宜合成樹脂材、或いは、適宜複合材）等によって構成され、略矩形箱状の収納部Ａ１の正面板１がわ左右側縁部分に、折目線１５を介して略矩形板状の左右扉部Ａ２を揺動自在に夫々連設して構成されており、左右扉部Ａ２を収納部Ａ１の正面板１に重ねるように揺動させた折畳み状態にあっては、正面板１の窓孔Ａ３を確実に覆うと共に、全体が略直方体状となり、一方、左右扉部Ａ２を正面板１から離れるように揺動させて、正面板１と左右扉部Ａ２が同一平面内に含まれるような展開状態にあっては、正面板１の窓孔Ａ３から収納部Ａ１内の記録担体Ｅを視認できると共に、左右扉部Ａ２の外表面（表裏面）に表示してある記録担体Ｅに関連する情報等が夫々視認できるようになる。
【００１４】
また、販売用ケースＡは、適宜シート状材料（適宜紙材、或いは、適宜合成樹脂材、或いは、適宜複合材）等の表面がわにのみ適宜印刷を施してあり、この印刷面が販売用ケースＡの表面がわにあらわれるように組立てられる。すなわち、適宜シート状材料の片面のみの能率的な印刷で済むように構成してある。
【００１５】
更に、具体的に説明すると、図４に示す販売用ケースＡは、中央に比較的大きな矩形状の窓孔Ａ３が設けてある矩形状の正面板１と、この正面板１の左側縁に折目線１５を介して連設される矩形状の左前扉板２と、この左前扉板２の先端縁に折目線１５を介して連設されると共に、左前扉板２裏面に接着される矩形状の左後扉板３と、この左後扉板３の基端縁に折目線１５を介して連設される細長矩形状の左側板４と、この左側板４の後端縁に折目線１５を介して連設される矩形状の背面板５と、この背面板５の右側縁に折目線１５を介して連設される細長矩形状の右側板６と、この右側板６の前端縁に折目線１５を介して連設される矩形状の右後扉板７と、この右後扉板７の先端縁に折目線１５を介して連設されると共に、右後扉板７裏面に接着される矩形状の右前扉板８と、正面板１の上端縁に折目線１５を介して連設される細長矩形状の上面板９と、正面板１の下端縁に折目線１５を介して連設される細長矩形状の下面板１０と、上面板９及び下面板１０の後端縁に折目線１５を介して夫々連設される略短舌片状の差込片１１，１２と、左右側板４，６の上下端縁に折目線１５を介して連設される略台形状の折曲片１４と、正面板１の右側縁に折目線１５を介して連設されると共に、右側板６裏面に接着される略細長台形状の糊代片１３とを備えている。
【００１６】
図９に示す販売用ケースＡは、中央に比較的大きな矩形状の窓孔Ａ３が設けてある矩形状の正面板１と、この正面板１の左側縁に折目線１５を介して連設される矩形状の左前扉板２と、この左前扉板２の先端縁に折目線１５を介して連設されると共に、左前扉板２裏面に接着される矩形状の左後扉板３と、この左後扉板３の基端縁に折目線１５を介して連設される細長矩形状の左側板４と、この左側板４の後端縁に折目線１５を介して連設されると共に、背面板５裏面に接着される略細長台形状の糊代片１３と、正面板１の右側縁に折目線１５を介して連設される矩形状の右前扉板８と、この右前扉板８の先端縁に折目線１５を介して連設されると共に、右前扉板８裏面に接着される矩形状の右後扉板７と、この右後扉板７の基端縁に折目線１５を介して連設される細長矩形状の右側板６と、この右側板６の後端縁に折目線１５を介して連設される矩形状の背面板５と、正面板１の上端縁に折目線１５を介して連設される細長矩形状の上面板９と、正面板１の下端縁に折目線１５を介して連設される細長矩形状の下面板１０と、上面板９及び下面板１０の後端縁に折目線１５を介して夫々連設される略短舌片状の差込片１１，１２と、左右側板４，６の上下端縁に折目線１５を介して連設される略台形状の折曲片１４とを備えている。
【００１７】
図１０に示す販売用ケースＡは、中央に比較的大きな矩形状の窓孔Ａ３が設けてある矩形状の正面板１と、正面板１の右側縁に折目線１５を介して連設される矩形状の右前扉板８と、この右前扉板８の先端縁に折目線１５を介して連設されると共に、右前扉板８裏面に接着される矩形状の右後扉板７と、この右後扉板７の基端縁に折目線１５を介して連設される細長矩形状の右側板６と、この右側板６の後端縁に折目線１５を介して連設される矩形状の背面板５と、背面板５の左側縁に折目線１５を介して連設される細長矩形状の左側板４と、この左側板４の前端縁に折目線１５を介して連設される矩形状の左後扉板３と、この左後扉板３の上端縁に折目線１５を介して連設されると共に、左後扉板３裏面に接着される矩形状の左前扉板２と、正面板１の上端縁に折目線１５を介して連設される細長矩形状の上面板９と、背面板５の下端縁に折目線１５を介して連設される細長矩形状の下面板１０と、上面板９の後端縁及び下面板１０の前端縁に折目線１５を介して夫々連設される略短舌片状の差込片１１，１２と、左右側板４，６の上下端縁に折目線１５を介して連設される略台形状の折曲片１４と、正面板１の左側縁に折目線１５を介して連設される共に、左側板４裏面に接着される略細長台形状の糊代片１３とを備えている。
【００１８】
図１１に示す販売用ケースＡは、中央に比較的大きな矩形状の窓孔Ａ３が設けてある矩形状の正面板１と、この正面板１の左側縁に折目線１５を介して連設される矩形状の左前扉板２と、この左前扉板２の先端縁に折目線１５を介して連設されると共に、左前扉板２裏面に接着される矩形状の左後扉板３と、この左後扉板３の基端縁に折目線１５を介して連設される細長矩形状の左側板４と、この左側板４の後端縁に折目線１５を介して連設される矩形状の背面板５と、この背面板５の右側縁に折目線１５を介して連設される細長矩形状の右側板６と、この右側板６の前端縁に折目線１５を介して連設されると共に、正面板１裏面に接着される略細長台形状の糊代片１３と、正面板１の右側縁に折目線１５を介して連設される矩形状の右前扉板８と、この右前扉板８の先端縁に折目線１５を介して連設されると共に、右前扉板８裏面に接着される矩形状の右後扉板７と、正面板１の上端縁に折目線１５を介して連設される細長矩形状の上面板９と、正面板１の下端縁に折目線１５を介して連設される細長矩形状の下面板１０と、上面板９及び下面板１０の後端縁に折目線１５を介して夫々連設される略短舌片状の差込片１１，１２と、左右側板４，６の上下端縁に折目線１５を介して連設される略台形状の折曲片１４とを備えている。
【００１９】
図１２に示す販売用ケースＡは、中央に比較的大きな矩形状の窓孔Ａ３が設けてある矩形状の正面板１と、この正面板１の左側縁に折目線１５を介して連設される矩形状の左前扉板２と、この左前扉板２の先端縁に折目線１５を介して連設されると共に、左前扉板２裏面に接着される矩形状の左後扉板３と、この左後扉板３の基端縁に折目線１５を介して連設される細長矩形状の左側板４と、この左側板４の後端縁に折目線１５を介して連設される矩形状の背面板５と、この背面板５の右側縁に折目線１５を介して連設される細長矩形状の右側板６と、この右側板６の前端縁に折目線１５を介して連設されると共に、正面板１裏面に接着される略細長台形状の糊代片１３と、正面板１の右側縁に折目線１５を介して連設される矩形状の右前扉板８と、この右前扉板８の上端縁に折目線１５を介して連設されると共に、右前扉板８裏面に接着される矩形状の右後扉板７と、正面板１の上端縁に折目線１５を介して連設される細長矩形状の上面板９と、正面板１の下端縁に折目線１５を介して連設される細長矩形状の下面板１０と、上面板９及び下面板１０の後端縁に折目線１５を介して夫々連設される略短舌片状の差込片１１，１２と、左右側板４，６の上下端縁に折目線１５を介して連設される略台形状の折曲片１４とを備えている。
【００２０】
図１３に示す販売用ケースＡは、中央に比較的大きな矩形状の窓孔Ａ３が設けてある矩形状の正面板１と、この正面板１の左側縁に折目線１５を介して連設される矩形状の左前扉板２と、正面板１の右側縁に折目線１５を介して連設される矩形状の右前扉板８と、この右前扉板８の先端縁に折目線１５を介して連設されると共に、右前扉板８裏面に接着される矩形状の右後扉板７と、この右後扉板７の基端縁に折目線１５を介して連設される細長矩形状の右側板６と、この右側板６の後端縁に折目線１５を介して連設される矩形状の背面板５と、背面板５の左側縁に折目線１５を介して連設される細長矩形状の左側板４と、この左側板４の前端縁に折目線１５を介して連設されると共に、左前扉板２裏面に接着される矩形状の左後扉板３と、正面板１の上端縁に折目線１５を介して連設される細長矩形状の上面板９と、正面板１の下端縁に折目線１５を介して連設される細長矩形状の下面板１０と、上面板９及び下面板１０の後端縁に折目線１５を介して夫々連設される略舌片状の差込片１１ａと、左右側板４，６の上下端縁に折目線１５を介して連設される略台形状の折曲片１４と、背面板５の上下端縁に折目線１５を介して連設されると共に、上面板９と下面板１０に夫々重なるようになる略細長矩形状の折込片１６とを備え、しかも、折込片１６には、差込片１１ａが差込自在となる差込孔１６ａが夫々穿設されている。
【００２１】
図１４に示す販売用ケースＡは、中央に比較的大きな矩形状の窓孔Ａ３が設けてある矩形状の正面板１と、この正面板１の左側縁に折目線１５を介して連設される矩形状の左前扉板２と、この左前扉板２の先端縁に折目線１５を介して連設されると共に、左前扉板２裏面に接着される矩形状の左後扉板３と、この左後扉板３の基端縁に折目線１５を介して連設される細長矩形状の左側板４と、この左側板４の後端縁に折目線１５を介して連設される矩形状の背面板５と、この背面板５の右側縁に折目線１５を介して連設される細長矩形状の右側板６と、この右側板６の前端縁に折目線１５を介して連設される矩形状の右後扉板７と、この右後扉板７の先端縁に折目線１５を介して連設されると共に、右後扉板７裏面に接着される矩形状の右前扉板８と、右前扉板８の基端縁に折目線１５を介して連設されると共に、正面板１裏面に接着される略細長台形状の糊代片１３と、正面板１の上端縁に折目線１５を介して連設される細長矩形状の上面板９と、上面板９の後端縁に折目線１５を介して連設される略短舌片状の差込片１１と、左右側板４，６の上端縁に折目線１５を介して連設される略台形状の折曲片１４と、正面板１、背面板５、及び左右側板４，６の下端縁に折目線１５を介して夫々連設される下面板構成片１０ａとを備え、下面板構成片１０ａ夫々を組合せることによって一つの下面板１０が組立てられるように構成してある。
【００２２】
図１５に示す販売用ケースＡは、中央に比較的大きな矩形状の窓孔Ａ３が設けてある矩形状の正面板１と、この正面板１の左側縁に折目線１５を介して連設される矩形状の左前扉板２と、この左前扉板２の先端縁に折目線１５を介して連設されると共に、左前扉板２裏面に接着される矩形状の左後扉板３と、この左後扉板３の基端縁に折目線１５を介して連設される細長矩形状の左側板４と、この左側板４の後端縁に折目線１５を介して連設される矩形状の背面板５と、この背面板５の右側縁に折目線１５を介して連設される細長矩形状の右側板６と、この右側板６の前端縁に折目線１５を介して連設される矩形状の右後扉板７と、この右後扉板７の先端縁に折目線１５を介して連設されると共に、右後扉板７裏面に接着される矩形状の右前扉板８と、正面板１の右側縁に折目線１５を介して連設される細短舌片状の差込片１１ａと、正面板１の上端縁に折目線１５を介して連設される細長矩形状の上面板９と、正面板１の下端縁に折目線１５を介して連設される細長矩形状の下面板１０と、上面板９及び下面板１０の先端縁に折目線１５を介して夫々連設される略短舌片状の折込片１６と、左右側板４，６の上下端縁に折目線１５を介して連設されると共に、上面板９及び下面板１０の裏面に夫々接着される略台形状の糊代片１３とを備え、正面板１が収納部Ａ１の開閉蓋となるように構成したものである。
【００２３】
図１６に示す販売用ケースＡは、中央に比較的大きな矩形状の窓孔Ａ３が設けてある矩形状の正面板１と、この正面板１の左側縁に折目線１５を介して連設される矩形状の左前扉板２と、この左前扉板２の先端縁に折目線１５を介して連設されると共に、左前扉板２裏面に接着される矩形状の左後扉板３と、この左後扉板３の基端縁に折目線１５を介して連設される細長矩形状の左側板４と、正面板１の右側縁に折目線１５を介して連設される矩形状の右前扉板８と、この右前扉板８の先端縁に折目線１５を介して連設されると共に、右前扉板８裏面に接着される矩形状の右後扉板７と、この右後扉板７の基端縁に折目線１５を介して連設される細長矩形状の右側板６と、左側板４及び右側板６の後端縁に折目線１５を介して夫々連設される略短舌片状の差込片１１と、正面板１の上端縁に折目線１５を介して連設される細長矩形状の上面板９と、正面板１の下端縁に折目線１５を介して連設される細長矩形状の下面板１０と、上面板９の後端縁に折目線１５を介して連設される矩形状の背面板５と、背面板５の下端縁に折目線１５を介して連設されると共に、下面板１０裏面に接着される略細長台形状の糊代片１３と、上面板９及び下面板１０の左右端縁に折目線１５を介して連設される略台形状の折曲片１４とを備えている。
【００２４】
図１７に示す販売用ケースＡは、矩形状の背面板５と、この背面板５の左側縁に折目線１５を介して連設される細長矩形状の左側板４と、この左側板４の前端縁に折目線１５を介して連設される矩形状の左後扉板３と、この左前扉板２の先端縁に折目線１５を介して連設されると共に、左後扉板３裏面に接着される矩形状の左前扉板２と、背面板５の右側縁に折目線１５を介して連設される細長矩形状の右側板６と、右側板６の前端縁に折目線１５を介して連設される矩形状の右後扉板７と、この右後扉板７の先端縁に折目線１５を介して連設されると共に、右後扉板７裏面に接着される矩形状の右前扉板８と、背面板５の上端縁に折目線１５を介して連設される細長矩形状の上面板９と、上面板９の前端縁に折目線１５を介して連設されると共に、中央に比較的大きな矩形状の窓孔Ａ３が設けてある矩形状の正面板１と、正面板１の左右側縁及び下端縁に折目線１５を介して夫々連設される略短舌片状の差込片１１ａと、背面板５の下端縁に折目線１５を介して連設される複数の下面板構成片１０ｂと、左側板４及び右側板６の上下端縁と上面板９及び下面板構成片１０ｂの左右端縁とを結ぶように折目線１５を介して連設されると共に、左側板４、右側板６、上面板９、下面板構成片１０ｂの裏面に接着される糊代片１３ａとを備え、正面板１が収納部Ａ１の開閉蓋となるように構成したものである。
【００２５】
図１８に示す販売用ケースＡは、中央に比較的大きな矩形状の窓孔Ａ３が設けてある矩形状の正面上板１ａと、この正面上板１ａの上端縁に折目線１５を介して連設される細長矩形状の上面板９と、この上面板９の左側縁に折目線１５を介して連設される細長矩形状の左側板４と、この上面板９の前端縁に折目線１５を介して連設される矩形状の左後扉板３と、この左後扉板３の先端縁に折目線１５を介して連設されると共に、左後扉板３裏面に接着される矩形状の左前扉板２と、上面板９の右側縁に折目線１５を介して連設される細長矩形状の右側板６と、この右側板６の前端縁に折目線１５を介して連設される矩形状の右後扉板７と、この右後扉板７の先端縁に折目線１５を介して連設されると共に、中央に比較的大きな矩形状の窓孔Ａ３が設けてある矩形状の正面下板１ｂと、上面板９の下端縁に折目線１５を介して連設されると共に、下面板１０裏面に接着される略台形状の糊代片１３と、正面上板１ａの下端縁に折目線１５を介して夫々連設される略舌片状の差込片１１ａと、上面板９、下面板１０、及び左右側板４，６の後端縁に折目線１５を介して夫々連設される背面板構成片５ａとを備え、背面板構成片５ａ夫々を組合せることによって一つの背面板５が組立てられるように構成してある。しかも、正面上板１ａは、正面下板１ｂの上に重ねることができる共に、夫々の窓孔Ａ３が合致し、しかも、差込片１１ａが、正面下板１ｂに穿設した差込孔１６ａに自在に差込めるように構成されている。
【００２６】
図１９に示す販売用ケースＡは、矩形状の背面板５と、この背面板５の左側縁に折目線１５を介して連設される細長矩形状の延設片１７と、この延設片１７の先端縁に折目線１５を介して連設される矩形状の左後扉板３と、この左後扉板３の下端縁に折目線１５を介して連設されると共に、左後扉板３裏面に接着される矩形状の左前扉板２と、背面板５の右側縁に折目線１５を介して連設される細長矩形状の延設片１７と、この延設片１７の先端縁に折目線１５を介して連設される矩形状の右後扉板７と、この右後扉板７の下端縁に折目線１５を介して連設されると共に、右後扉板７裏面に接着される矩形状の右前扉板８と、背面板５の上端縁に折目線１５を介して連設される細長矩形状の上面板９と、上面板９の前端縁に折目線１５を介して連設されると共に、中央に比較的大きな矩形状の窓孔Ａ３が設けてある矩形状の正面板１と、正面板１の左側縁に折目線１５を介して連設される細長矩形状の左側板４と、正面板１の右側縁に折目線１５を介して連設される細長矩形状の右側板６と、左側板４及び右側板６の後端縁に折目線１５を介して夫々連設される略短舌片状の差込片１１と、正面板１の下端縁に折目線１５を介して連設される細長矩形状の下面板１０と、この下面板１０の後端縁に折目線１５を介して連設されると共に、背面板５裏面に接着される略細長台形状の糊代片１３と、上面板９及び下面板１０の左右端縁に折目線１５を介して夫々連設される略台形状の折曲片１４とを備え、左右扉部Ａ２が収納部Ａ１正面部分を覆うように販売用ケースＡが折畳み状態となったときに延設片１７夫々が左右側板４，６の外表面部分を覆うように構成してある。
【００２７】
図２０に示す販売用ケースＡは、矩形状の窓孔Ａ３が右側縁がわに設けてある矩形状の正面板１と、正面板１の右側縁に折目線１５を介して連設される細長矩形状の右側板６と、この右側板６の後端縁に折目線１５を介して連設される背面板５と、この背面板５の左側縁に折目線１５を介して連設される細長矩形状の左側板４と、この左側板４の前端縁に折目線１５を介して連設される矩形状の左後扉板３と、左後扉板３の先端縁に折目線１５を介して連設されると共に、左後扉板３裏面に接着される矩形状の左前扉板２と、正面板１の上端縁に折目線１５を介して連設される細長矩形状の上面板９と、正面板１の下端縁に折目線１５を介して連設される細長矩形状の下面板１０と、上面板９及び下面板１０の後端縁に折目線１５を介して夫々連設される略短舌片状の差込片１１，１２と、左右側板４，６の上下端縁に折目線１５を介して夫々連設される略台形状の折曲片１４と、正面板１の左側縁に折目線１５を介して連設される共に、左側板４裏面に接着される略細長台形状の糊代片１３と、右側板６の前端縁に折目線１５を介して連設されると共に、窓孔Ａ３に合致する矩形状の右扉板１８とを備えており、右扉板１８で窓孔Ａ３を施蓋すると共に、この上に左の扉部Ａ２を重ねられるように構成されている。
【００２８】
ところで、販売用ケースＡの具体的構成、形状、寸法、材質、収納部Ａ１の具体的構成、形状、寸法、材質、扉部Ａ２の具体的構成、形状、寸法、材質、数、連設位置、窓孔Ａ３の具体的構成、形状、寸法、数、連設位置、正面板１の具体的構成、形状、寸法、材質、配設位置、正面上板１ａの具体的構成、形状、寸法、配設位置、正面下板１ｂの具体的構成、形状、寸法、配設位置、左前扉板２の具体的構成、形状、寸法、材質、配設位置、左後扉板３の具体的構成、形状、寸法、材質、配設位置、左側板４の具体的構成、形状、寸法、材質、配設位置、背面板５の具体的構成、形状、寸法、材質、配設位置、背面板構成片５ａの具体的構成、形状、寸法、材質、数、配設位置、右側板６の具体的構成、形状、寸法、材質、配設位置、右後扉板７の具体的構成、形状、寸法、材質、配設位置、右前扉板８の具体的構成、形状、寸法、材質、配設位置、上面板９の具体的構成、形状、寸法、材質、配設位置、下面板１０の具体的構成、形状、寸法、材質、配設位置、下面板構成片１０ａ，１０ｂの具体的構成、形状、寸法、材質、数、配設位置、差込片１１，１２の具体的構成、形状、寸法、材質、配設位置、差込片１１ａの具体的構成、形状、寸法、材質、配設位置、糊代片１３，１３ａの具体的構成、形状、寸法、材質、配設位置、折曲片１４の具体的構成、形状、寸法、材質、配設位置、折目線１５の具体的構成、形状、寸法、折込片１６の具体的構成、形状、寸法、材質、配設位置、差込孔１６ａの具体的構成、形状、寸法、配設位置、延設片１７の具体的構成、形状、寸法、材質、配設位置、右扉板１８の具体的構成、形状、寸法、材質、配設位置等は、図示例のもの等に限定されることなく適宜自由に設定できるものである。特に、窓孔Ａ３は、複数の窓孔Ａ３によって構成したものであっても良く、また、窓孔Ａ３部分には、透明フィルム等を貼着してあっても良い。
【００２９】
展示用ケースＢは、少なくとも正面板２０部分が透明（或いは、半透明、或いは、一部透明、或いは、一部半透明）となるような透光性を有する合成樹脂製シート材等によって一体的に構成されており、具体的には、販売用ケースＡの正面板１裏面がわに配される矩形状の正面板２０と、正面板２０の右側縁に二重の折曲線２８を介して（或いは、かなり細長な側板を介して）連設される略矩形状の右後保持板２１と、正面板２０の左側縁に二重の折曲線２８を介して（或いは、かなり細長な側板を介して）連設される略矩形状の左後保持板２２と、右後保持板２１の左側縁に折曲線２８を介して連設される略細長矩形状の右前保持板２３と、左後保持板２２の右側縁に折曲線２８を介して連設される略細長矩形状の左前保持板２４と、正面板２０の上端縁に二重の折曲線２８を介して（或いは、かなり細長な天板を介して）連設される略偏平三角形状の上折返片２５と、正面板２０の下端縁に二重の折曲線２８を介して（或いは、かなり細長な底板を介して）連設される略偏平三角形状の下折返片２６とを備えている（図５参照）。
そして、上折返片２５と下折返片２６の先端中央部分に、右後保持板２１と左後保持板２２に穿設した差込孔３１に差込自在となる差込突片２７を連設し、右後保持板２１及び左後保持板２２の中央部分には、複数の略上向き半円弧状の係止切欠下溝２９を上下方向に沿って適宜間隔に配し、右前保持板２３の右側縁がわ及び左前保持板２４の左側縁がわには、複数の略ノ字状の係止切欠上溝３０を上下方向に沿って適宜間隔に配し、記録担体Ｅ、或いは、保護袋６０入り記録担体Ｅの下端部中央部分を係止切欠下溝２９に係止できるよう形成すると共に、記録担体Ｅ、或いは、保護袋６０入り記録担体Ｅの上端部中央部分を係止切欠上溝３０に係止できるよう形成してあり、複数の記録担体Ｅ、或いは、保護袋６０入り記録担体Ｅを、正面板２０の裏面がわで、且つ、右後保持板２１と右前保持板２３の間か、左後保持板２２と左前保持板２４の間に保持でき、しかも、記録担体Ｅ、或いは、保護袋６０入り記録担体Ｅが上下方向に於いて、移動することなく確実に保持されるように構成してある（図５、図６、図７参照）。
【００３０】
尚、記録担体Ｅ、或いは、保護袋６０入り記録担体Ｅの左右端部は、正面板２０と右後保持板２１（左後保持板２２）の折曲線２８部分や、右後保持板２１（左後保持板２２）と右前保持板２３（左前保持板２４）の折曲線２８部分に当接して、展示用ケースＢでの保持状態に於いて、左右方向への移動が確実に阻止されるように形成されている。
更に、記録担体Ｅ、或いは、保護袋６０入り記録担体Ｅの上下方向の保持は、係止切欠下溝２９と係止切欠上溝３０だけでなく、正面板２０と上折返片２５の折曲線２８部分や、正面板２０と下折返片２６の折曲線２８部分を利用しても良い。
ところで、展示用ケースＢの具体的構成、形状、寸法、材質、正面板２０の具体的構成、形状、寸法、材質、右後保持板２１の具体的構成、形状、寸法、材質、左後保持板２２の具体的構成、形状、寸法、材質、右前保持板２３の具体的構成、形状、寸法、材質、左前保持板２４の具体的構成、形状、寸法、材質、上折返片２５の具体的構成、形状、寸法、材質、下折返片２６の具体的構成、形状、寸法、材質、差込突片２７の具体的構成、形状、寸法、材質、折曲線２８の具体的構成、形状、寸法、係止切欠下溝２９の具体的構成、形状、寸法、数、配設位置、係止切欠上溝３０の具体的構成、形状、寸法、数、配設位置、差込孔３１の具体的構成、形状、寸法、数、配設位置等は、図示例のもの等に限定されることなく適宜自由に設定できるものである。
【００３１】
保管用ケースＣは、主に、シート状の適宜紙材や、適宜合成樹脂材や、適宜複合材等によって構成され、矩形状の基板４０と、この基板４０の左右側縁に折目線を介して夫々連設される細長矩形状の側板４１と、これらの側板４１に折目線を介して夫々連設される矩形状の折畳板４２と、一方の折畳板４２の側縁に折目線を介して連設される細長矩形状の側板４１と、この側板４１に折目線を介して連設される矩形状の折畳板４２と、基板４０の上端縁に折目線を介して連設される細長矩形状の上折曲片４３と、基板４０の下端縁に折目線を介して連設される細長矩形状の下折曲片４４と、上折曲片４３と下折曲片４４の先端縁に折目線を介して夫々連設される矩形状の差込片４５と、基板４０及び折畳板４２夫々の表面に接着される記録担体保持部４６を有する合成樹脂製トレーとを備えている。  そして、展示用ケースＢ内に収容されている複数の記録担体Ｅを、記録担体保持部４６によって夫々保持でき、しかも、コンパクトに折畳めるように形成されている（図８、図１、図３参照）。
ところで、保管用ケースＣの具体的構成、形状、寸法、材質、基板４０の具体的構成、形状、寸法、材質、側板４１の具体的構成、形状、寸法、材質、数、折畳板４２の具体的構成、形状、寸法、材質、数、上折曲片４３の具体的構成、形状、寸法、材質、下折曲片４４の具体的構成、形状、寸法、材質、差込片４５の具体的構成、形状、寸法、材質、記録担体保持部４６の具体的構成、記録担体保持部４６を備えたトレーの具体的構成、形状、寸法、材質、数、配設位置、接着手段等は、図示例のもの等に限定されることなく適宜自由に設定できるものである。尚、保管用ケースＣには、例えば、記録担体Ｅに関連する説明書等の冊子を記録担体保持部４６を有するトレーの間に挟んだ状態で収容できるように形成してあっても良い（図３参照）。また、保管用ケースＣには、係脱自在に係止される適宜止着材を固定しておき、保管用ケースＣの折畳み状態が維持できるように形成してあっても良い。
【００３２】
包装体Ｄは、展開状態の販売用ケースＡの形状、寸法に応じて構成され、展開状態の販売用ケースＡを無理なく被覆できると共に、被覆後に販売用ケースＡを無理なく折畳み状態にできるよう構成されている。また、包装体Ｄは、透明な合成樹脂材によって構成されるが、その一部が不透明であったり、半透明であっても良い。
更に、包装体Ｄ表面の所定位置には、止着材５０，５０が固着され、この止着材５０は、例えば、両面（片面）粘着テープ、吸盤を利用したもの、一対の雄雌材を利用した面着テープを利用したもの、スナップ材を利用したもの、その他の適宜手段のものが利用され、記録担体用収納ケースＳの折畳み状態を維持できるようにしたものである。ところで、止着材５０は、折畳み状態の維持や、折畳み状態の解除が簡単に行えるものであれば良い。
【００３３】
記録担体Ｅは、例えば、ＣＤ−ＲＯＭや、ＣＤ等の円盤状のものや、ＦＤや、ＭＤや、カセットテープ等の矩形状のものや、その他、あらゆる形状、寸法のものが対象となっている。
【００３４】
【発明の効果】
従って、請求項１記載の記録担体用収納ケースＳは、適宜記録担体Ｅが収納される略箱状の収納部Ａ１と、この収納部Ａ１に折目線１５を介して揺動自在に連設される適数の扉部Ａ２とを備えた販売用ケースＡを形成し、収納部Ａ１の正面板１に窓孔Ａ３を設けると共に、扉部Ａ２を揺動させて販売用ケースＡを折畳み状態としたときに、窓孔Ａ３部分を扉部Ａ２で覆えるように形成し、扉部Ａ２を揺動させて展開状態とした販売用ケースＡ全体を、透光性を有する包装体Ｄで被覆し、包装体Ｄによる被覆状態のまま扉部Ａ２を揺動できるよう構成したので、コンピューターで使用されるソフトとしての適宜記録担体Ｅ（例えば、ＣＤ−ＲＯＭ、ＦＤ、その他）を複数収納できると共に、収納された記録担体Ｅに関連するより多くの情報（例えば、ソフトの内容説明、使用説明、イラスト、その他）及び記録担体Ｅ自体等を包装体Ｄで包装された状態のまま容易に視認できるようになり、購買者の選択購入に役立ち、大変便利なものとなる。加えて、包装体Ｄによって、記録担体Ｅ等が汚されたり、損傷したりする虞れのないものとなる。しかも、構成が簡素で、量産に適し、低廉に提供でき、経済性の優れたものとなる。
【００３５】
特に、収納部Ａ１の正面板１に窓孔Ａ３を設けると共に、扉部Ａ２を揺動させて販売用ケースＡを折畳み状態としたときに、窓孔Ａ３部分を扉部Ａ２で覆えるように形成したので、記録担体用収納ケースＳを展開状態としたときには、窓孔Ａ３を介して販売用ケースＡ内を容易に視認でき、一方、記録担体用収納ケースＳを折畳み状態としたときには、窓孔Ａ３を扉部Ａ２で確実に覆え、収納部Ａ１内の記録担体Ｅ等を確実に保護できると共に、堅牢で、耐久性の優れた記録担体用収納ケースＳとなる。加えて、記録担体用収納ケースＳ自体がコンパクトとなり、販売店等に於ける陳列スペースを有効に利用できるようになる。
【００３６】
加えて、販売用ケースＡの収納部Ａ１内に収納可能となる展示用ケースＢを形成し、この展示用ケースＢは、透光性を有する適宜合成樹脂製シート材によって形成され、販売用ケースＡの窓孔Ａ３部分を裏面がわから覆うような正面板２０を有し、この正面板２０の裏面がわに複数の記録担体Ｅを保持できるよう構成したので、窓孔Ａ３から正面板２０を介して収納部Ａ１内の記録担体Ｅを視認できるようになると共に、正面板２０によって収納部Ａ１内の記録担体Ｅを確実に保護できるようになる。
【００３７】
また、請求項２記載の記録担体用収納ケースＳは、適宜記録担体Ｅが収納される略箱状の収納部Ａ１と、この収納部Ａ１の左右側部に折目線１５を介して夫々揺動自在に連設される左右扉部Ａ２とを備えた販売用ケースＡを形成し、収納部Ａ１の正面板１に窓孔Ａ３を設けると共に、左右扉部Ａ２を揺動させて販売用ケースＡを折畳み状態としたときに、窓孔Ａ３部分を左右扉部Ａ２で覆えるように形成し、左右扉部Ａ２を揺動させて展開状態とした販売用ケースＡ全体を、透光性を有する包装体Ｄで被覆し、包装体Ｄによる被覆状態のまま左右扉部Ａ２を揺動できるよう構成したので、コンピューターで使用されるソフトとしての適宜記録担体Ｅ（例えば、ＣＤ−ＲＯＭ、ＦＤ、その他）を複数収納できると共に、収納された記録担体Ｅに関連するより多くの情報（例えば、ソフトの内容説明、使用説明、イラスト、その他）及び記録担体Ｅ自体等を包装体Ｄで包装された状態のまま容易に視認できるようになり、購買者の選択購入に役立ち、大変便利なものとなる。加えて、包装体Ｄによって、記録担体Ｅ等が汚されたり、損傷したりする虞れのないものとなる。しかも、構成が簡素で、量産に適し、低廉に提供でき、経済性の優れたものとなる。
【００３８】
特に、収納部Ａ１の正面板１に窓孔Ａ３を設けると共に、左右扉部Ａ２を揺動させて販売用ケースＡを折畳み状態としたときに、窓孔Ａ３部分を左右扉部Ａ２で覆えるように形成したので、記録担体Ｅに関連するより多くの情報を左右扉部Ａ２に表示できるようになり、記録担体用収納ケースＳを展開状態としたときには、窓孔Ａ３を介して販売用ケースＡ内を容易に視認でき、一方、記録担体用収納ケースＳを折畳み状態としたときには、窓孔Ａ３を左右扉部Ａ２で確実に覆え、収納部Ａ１内の記録担体Ｅ等を確実に保護できると共に、堅牢で、耐久性の優れた記録担体用収納ケースＳとなる。加えて、記録担体用収納ケースＳ自体がコンパクトとなり、販売店等に於ける陳列スペースを有効に利用できるようになる。
【００３９】
加えて、販売用ケースＡの収納部Ａ１内に収納可能となる展示用ケースＢを形成し、この展示用ケースＢは、透光性を有する適宜合成樹脂製シート材によって形成され、販売用ケースＡの窓孔Ａ３部分を裏面がわから覆うような正面板２０を有し、この正面板２０の裏面がわに複数の記録担体Ｅを保持できるよう構成したので、窓孔Ａ３から正面板２０を介して収納部Ａ１内の記録担体Ｅを視認できるようになると共に、正面板２０によって収納部Ａ１内の記録担体Ｅを確実に保護できるようになる。
【００４０】
更に、請求項３記載の記録担体用収納ケースＳは、適宜記録担体Ｅが収納される略箱状の収納部Ａ１と、この収納部Ａ１の左右側部に折目線１５を介して夫々揺動自在に連設される左右扉部Ａ２とを備えた販売用ケースＡを形成し、収納部Ａ１の正面板１に窓孔Ａ３を設けると共に、左右扉部Ａ２を揺動させて販売用ケースＡを折畳み状態としたときに、窓孔Ａ３部分を左右扉部Ａ２で覆えるように形成し、左右扉部Ａ２を揺動させて展開状態とした販売用ケースＡ全体を、透光性を有する包装体Ｄで被覆し、包装体Ｄによる被覆状態のまま左右扉部Ａ２を揺動できるよう構成したので、コンピューターで使用されるソフトとしての適宜記録担体Ｅ（例えば、ＣＤ−ＲＯＭ、ＦＤ、その他）を複数収納できると共に、収納された記録担体Ｅに関連するより多くの情報（例えば、ソフトの内容説明、使用説明、イラスト、その他）及び記録担体Ｅ自体等を包装体Ｄで包装された状態のまま容易に視認できるようになり、購買者の選択購入に役立ち、大変便利なものとなる。加えて、包装体Ｄによって、記録担体Ｅ等が汚されたり、損傷したりする虞れのないものとなる。しかも、構成が簡素で、量産に適し、低廉に提供でき、経済性の優れたものとなる。
【００４１】
特に、収納部Ａ１の正面板１に窓孔Ａ３を設けると共に、左右扉部Ａ２を揺動させて販売用ケースＡを折畳み状態としたときに、窓孔Ａ３部分を左右扉部Ａ２で覆えるように形成したので、記録担体Ｅに関連するより多くの情報を左右扉部Ａ２に表示できるようになり、記録担体用収納ケースＳを展開状態としたときには、窓孔Ａ３を介して販売用ケースＡ内を容易に視認でき、一方、記録担体用収納ケースＳを折畳み状態としたときには、窓孔Ａ３を左右扉部Ａ２で確実に覆え、収納部Ａ１内の記録担体Ｅ等を確実に保護できると共に、堅牢で、耐久性の優れた記録担体用収納ケースＳとなる。加えて、記録担体用収納ケースＳ自体がコンパクトとなり、販売店等に於ける陳列スペースを有効に利用できるようになる。
【００４２】
加えて、販売用ケースＡを、窓孔Ａ３を設けた正面板１と、左前扉板２と、左後扉板３と、左側板４と、背面板５と、右側板６と、右後扉板７と、右前扉板８と、上面板９と、下面板１０とを備えた適宜シート状材料によって構成し、この適宜シート状材料の表面がわに適宜印刷を施し、左前扉板２と左後扉板３、及び右後扉板７と右前扉板８の裏面がわを夫々接着して、左右扉部Ａ２を構成したので、適宜シート状材料の表面がわに適宜印刷を施すだけで、販売用ケースＡの表面がわにあらわれる全ての印刷が施せるようになり、能率的な印刷が可能となる。しかも、左前扉板２と左後扉板３、及び右後扉板７と右前扉板８の裏面がわを夫々接着して、左右扉部Ａ２を構成したので、左右扉部Ａ２夫々の強度が高められるようになる。
【００４３】
そして、請求項４記載の記録担体用収納ケースＳは、適宜記録担体Ｅが収納される略箱状の収納部Ａ１と、この収納部Ａ１の左右側部に折目線１５を介して夫々揺動自在に連設される左右扉部Ａ２とを備えた販売用ケースＡを形成し、収納部Ａ１の正面板１に窓孔Ａ３を設けると共に、左右扉部Ａ２を揺動させて販売用ケースＡを折畳み状態としたときに、窓孔Ａ３部分を左右扉部Ａ２で覆えるように形成し、左右扉部Ａ２を揺動させて展開状態とした販売用ケースＡ全体を、透光性を有する包装体Ｄで被覆し、包装体Ｄによる被覆状態のまま左右扉部Ａ２を揺動できるよう構成したので、コンピューターで使用されるソフトとしての適宜記録担体Ｅ（例えば、ＣＤ−ＲＯＭ、ＦＤ、その他）を複数収納できると共に、収納された記録担体Ｅに関連するより多くの情報（例えば、ソフトの内容説明、使用説明、イラスト、その他）及び記録担体Ｅ自体等を包装体Ｄで包装された状態のまま容易に視認できるようになり、購買者の選択購入に役立ち、大変便利なものとなる。加えて、包装体Ｄによって、記録担体Ｅ等が汚されたり、損傷したりする虞れのないものとなる。しかも、構成が簡素で、量産に適し、低廉に提供でき、経済性の優れたものとなる。
【００４４】
特に、収納部Ａ１の正面板１に窓孔Ａ３を設けると共に、左右扉部Ａ２を揺動させて販売用ケースＡを折畳み状態としたときに、窓孔Ａ３部分を左右扉部Ａ２で覆えるように形成したので、記録担体Ｅに関連するより多くの情報を左右扉部Ａ２に表示できるようになり、記録担体用収納ケースＳを展開状態としたときには、窓孔Ａ３を介して販売用ケースＡ内を容易に視認でき、一方、記録担体用収納ケースＳを折畳み状態としたときには、窓孔Ａ３を左右扉部Ａ２で確実に覆え、収納部Ａ１内の記録担体Ｅ等を確実に保護できると共に、堅牢で、耐久性の優れた記録担体用収納ケースＳとなる。加えて、記録担体用収納ケースＳ自体がコンパクトとなり、販売店等に於ける陳列スペースを有効に利用できるようになる。
【００４５】
加えて、販売用ケースＡを、窓孔Ａ３を設けた正面板１と、左前扉板２と、左後扉板３と、左側板４と、背面板５と、右側板６と、右後扉板７と、右前扉板８と、上面板９と、下面板１０とを備えた適宜シート状材料によって構成し、この適宜シート状材料の表面がわに適宜印刷を施し、左前扉板２と左後扉板３、及び右後扉板７と右前扉板８の裏面がわを夫々接着して、左右扉部Ａ２を構成したので、適宜シート状材料の表面がわに適宜印刷を施すだけで、販売用ケースＡの表面がわにあらわれる全ての印刷が施せるようになり、能率的な印刷が可能となる。しかも、左前扉板２と左後扉板３、及び右後扉板７と右前扉板８の裏面がわを夫々接着して、左右扉部Ａ２を構成したので、左右扉部Ａ２夫々の強度が高められるようになる。
【００４６】
更に、販売用ケースＡの収納部Ａ１内に収納可能となる展示用ケースＢを形成し、この展示用ケースＢは、透光性を有する適宜合成樹脂製シート材によって形成され、販売用ケースＡの窓孔Ａ３部分を裏面がわから覆うような正面板２０を有し、この正面板２０の裏面がわに複数の記録担体Ｅを保持できるよう構成したので、窓孔Ａ３から正面板２０を介して収納部Ａ１内の記録担体Ｅを視認できるようになると共に、正面板２０によって収納部Ａ１内の記録担体Ｅを確実に保護できるようになる。
【００４７】
それから、請求項５記載の記録担体用収納ケースＳは、適宜記録担体Ｅが収納される略箱状の収納部Ａ１と、この収納部Ａ１に折目線１５を介して揺動自在に連設される適数の扉部Ａ２とを備えた販売用ケースＡを形成し、収納部Ａ１の正面板１に窓孔Ａ３を設けると共に、扉部Ａ２を揺動させて販売用ケースＡを折畳み状態としたときに、窓孔Ａ３部分を扉部Ａ２で覆えるように形成し、扉部Ａ２を揺動させて展開状態とした販売用ケースＡ全体を、透光性を有する包装体Ｄで被覆し、包装体Ｄによる被覆状態のまま扉部Ａ２を揺動できるよう構成したので、コンピューターで使用されるソフトとしての適宜記録担体Ｅ（例えば、ＣＤ−ＲＯＭ、ＦＤ、その他）を複数収納できると共に、収納された記録担体Ｅに関連するより多くの情報（例えば、ソフトの内容説明、使用説明、イラスト、その他）及び記録担体Ｅ自体等を包装体Ｄで包装された状態のまま容易に視認できるようになり、購買者の選択購入に役立ち、大変便利なものとなる。加えて、包装体Ｄによって、記録担体Ｅ等が汚されたり、損傷したりする虞れのないものとなる。しかも、構成が簡素で、量産に適し、低廉に提供でき、経済性の優れたものとなる。
【００４８】
特に、収納部Ａ１の正面板１に窓孔Ａ３を設けると共に、扉部Ａ２を揺動させて販売用ケースＡを折畳み状態としたときに、窓孔Ａ３部分を扉部Ａ２で覆えるように形成したので、記録担体用収納ケースＳを展開状態としたときには、窓孔Ａ３を介して販売用ケースＡ内を容易に視認でき、一方、記録担体用収納ケースＳを折畳み状態としたときには、窓孔Ａ３を扉部Ａ２で確実に覆え、収納部Ａ１内の記録担体Ｅ等を確実に保護できると共に、堅牢で、耐久性の優れた記録担体用収納ケースＳとなる。加えて、記録担体用収納ケースＳ自体がコンパクトとなり、販売店等に於ける陳列スペースを有効に利用できるようになる。
【００４９】
また、販売用ケースＡの収納部Ａ１内に収納可能となる展示用ケースＢを形成し、この展示用ケースＢは、透光性を有する適宜合成樹脂製シート材によって形成され、販売用ケースＡの窓孔Ａ３部分を裏面がわから覆うような正面板２０と、正面板２０の左右側縁に折曲線２８を介して連設される右後保持板２１及び左後保持板２２と、左右後保持板２１，２２の先端縁に折曲線２８を介して連設される右前保持板２３及び左前保持板２４とを備え、右後保持板２１及び左後保持板２２には、複数の略上向き半円弧状の係止切欠下溝２９を設け、右前保持板２３及び左前保持板２４には、複数の略ノ字状の係止切欠上溝３０を設け、記録担体Ｅ、或いは、保護袋６０入り記録担体Ｅの下端部を係止切欠下溝２９に係止できるよう形成すると共に、上端部を係止切欠上溝３０に係止できるよう形成して、複数の記録担体Ｅ、或いは、保護袋６０入り記録担体Ｅを正面板２０の裏面がわに保持できるよう構成したので、窓孔Ａ３から正面板２０を介して収納部Ａ１内の記録担体Ｅを視認できるようになると共に、正面板２０によって収納部Ａ１内の記録担体Ｅを確実に保護できるようになる。
特に、展示用ケースＢによって、複数の記録担体Ｅ（或いは、保護袋６０入り記録担体Ｅ）を安定的に且つ整然と保持しておけ、複数の記録担体Ｅを視認し易いように配置可能となる。
【００５０】
加えて、請求項６記載の記録担体用収納ケースＳは、販売用ケースＡの収納部Ａ１内に収納可能となる保管用ケースＣを形成し、この保管用ケースＣは、折畳み自在に形成されると共に、複数の記録担体保持部４６が設けられ、この記録担体保持部４６で展示用ケースＢ内の複数の記録担体Ｅを夫々保持できるよう構成したので、展示用ケースＢ内の複数の記録担体Ｅを保管用ケースＣに簡単に移し代えできるようになり、記録担体Ｅの保持、或いは、取外しが簡単となり、記録担体Ｅの保管が行い易いものとなる。
【図面の簡単な説明】
【図１】  記録担体用収納ケースの一部を例示する分解斜視図である。
【図２】  記録担体用収納ケースを例示する斜視図である。
【図３】  記録担体用収納ケースの一部省略横断面図である。
【図４】  販売用ケースを例示する展開図である。
【図５】  展示用ケースを例示する展開図である。
【図６】  展示用ケースで記録担体を保持するときの状態を例示する背面図である。
【図７】  展示用ケースで記録担体を保持した状態を例示する部分縦断面図である。
【図８】  保管用ケースを例示する展開図である。
【図９】  販売用ケースの他の実施例を示す展開図である。
【図１０】  販売用ケースの他の実施例を示す展開図である。
【図１１】  販売用ケースの他の実施例を示す展開図である。
【図１２】  販売用ケースの他の実施例を示す展開図である。
【図１３】  販売用ケースの他の実施例を示す展開図である。
【図１４】  販売用ケースの他の実施例を示す展開図である。
【図１５】  販売用ケースの他の実施例を示す展開図である。
【図１６】  販売用ケースの他の実施例を示す展開図である。
【図１７】  販売用ケースの他の実施例を示す展開図である。
【図１８】  販売用ケースの他の実施例を示す展開図である。
【図１９】  販売用ケースの他の実施例を示す展開図である。
【図２０】  販売用ケースの他の実施例を示す展開図である。
【符号の説明】
Ｓ      記録担体用収納ケース
Ａ      販売用ケース
Ａ１    収納部                        Ａ２    扉部
Ａ３    窓孔                          １      正面板
１ａ    正面上板                      １ｂ    正面下板
２      左前扉板                      ３      左後扉板
４      左側板                        ５      背面板
５ａ    背面板構成片
６      右側板                        ７      右後扉板
８      右前扉板                      ９      上面板
１０    下面板                        １０ａ  下面板構成片
１０ｂ  下面板構成片                  １１    差込片
１１ａ  差込片
１２    差込片                        １３    糊代片
１３ａ  糊代片
１４    折曲片                        １５    折目線
１６    折込片                        １６ａ  差込孔
１７    延設片                        １８    右扉板
Ｂ      展示用ケース
２０    正面板                        ２１    右後保持板
２２    左後保持板                    ２３    右前保持板
２４    左前保持板                    ２５    上折返片
２６    下折返片                      ２７    差込突片
２８    折曲線                        ２９    係止切欠下溝
３０    係止切欠上溝                  ３１    差込孔
Ｃ      保管用ケース
４０    基板                          ４１    側板
４２    折畳板                        ４３    上折曲片
４４    下折曲片                      ４５    差込片
４６    記録担体保持部
Ｄ      包装体
５０    止着材
Ｅ      記録担体
６０    保護袋
【図１】
0003814792.tif 000002
【図２】
0003814792.tif 000003
【図３】
0003814792.tif 000004
【図４】
0003814792.tif 000005
【図５】
0003814792.tif 000006
【図６】
0003814792.tif 000007
【図７】
0003814792.tif 000008
【図８】
0003814792.tif 000009
【図９】
0003814792.tif 000010
【図１０】
0003814792.tif 000011
【図１１】
0003814792.tif 000012
【図１２】
0003814792.tif 000013
【図１３】
0003814792.tif 000014
【図１４】
0003814792.tif 000015
【図１５】
0003814792.tif 000016
【図１６】
0003814792.tif 000017
【図１７】
0003814792.tif 000018
【図１８】
0003814792.tif 000019
【図１９】
0003814792.tif 000020
【図２０】
0003814792.tif 000021